(57)【特許請求の範囲】
【請求項１】
脚部と接続され、一定の回転角の範囲で回転可能な回転部と、
前記回転部における回転軸を中心にして前記回転部を回転させる操作を行うための回転操作部と、
前記回転部が回転する回転角の範囲を規制する回転規制部と、
を備え、
前記回転規制部は、
前記回転部において、前記回転軸を中心とする円の周上に設けられる規制凸部と、
前記回転部が当該回転部における回転軸を中心に回転可能に固定される取付部に設けられ、前記回転部が前記回転軸を中心に回転する過程において前記規制凸部と係り合い得る複数の位置に設けられた規制切欠部と、を有し、
前記回転部は、
前記回転軸を中心とした略円盤状の円盤部と、前記脚部の軸に軸支される支持部とを備えて構成され、
前記回転操作部は、前記円盤部と前記支持部との間に設けられ、前記回転部の外部に延出するレバー部と、前記回転部内に設けられる支持軸と、を有し、前記レバー部は、前記回転部の前記支持部における前記脚部の軸近傍に作業者が右手の人差し指を掛け回した際に親指の先端が届く位置に設けられ、当該レバー部を作業者が親指を利用して移動させることにより前記支持軸を中心にして一定の回転角の範囲で回転可能になることを特徴とする回転機構。
【請求項２】
前記取付部は、前記回転軸を中心とする円の周上に設けられる複数の固定凸部を有し、
前記回転操作部は、前記回転部が前記回転軸を中心に回転する過程において前記固定凸部のいずれかと係り合って固定される固定切欠部を有し、
前記固定凸部及び前記固定切欠部は、前記回転部の回転角を固定する固定部を構成することを特徴とする請求項１に記載の回転機構。
【請求項３】
前記回転部は、平面視において前記回転軸を中心にした円環状の溝部を有し、
前記溝部に載置されて前記回転部と前記取付部との摩擦力を低減する摺動部をさらに備えることを特徴とする請求項１に記載の回転機構。
【請求項４】
天板と、
前記天板に取付けられる脚部と、
前記脚部に接続され、一定の回転角の範囲で回転可能な回転部と、前記回転部における回転軸を中心にして前記回転部を回転させる操作を行うための回転操作部と、前記回転部が回転する回転角の範囲を規制する回転規制部と、を備える回転機構と、
を備え、
前記回転規制部は、
前記回転部において、前記回転軸を中心とする円の周上に設けられる規制凸部と、
前記回転部が当該回転部における回転軸を中心に回転可能に固定される取付部に設けられ、前記回転部が前記回転軸を中心に回転する過程において前記規制凸部と係り合い得る複数の位置に設けられた規制切欠部と、を有し、
前記回転部は、
前記回転軸を中心とした略円盤状の円盤部と、前記脚部の軸に軸支される支持部とを備えて構成され、
前記回転操作部は、前記円盤部と前記支持部との間に設けられ、前記回転部の外部に延出するレバー部と、前記回転部内に設けられる支持軸と、を有し、前記レバー部は、前記回転部の前記支持部における前記脚部の軸近傍に作業者が右手の人差し指を掛け回した際に親指の先端が届く位置に設けられ、当該レバー部を作業者が親指を利用して移動させることにより前記支持軸を中心にして一定の回転角の範囲で回転可能になることを特徴とするスタッキングテーブル。
【請求項５】
前記脚部は、少なくとも、内部が空洞の第１の脚部と、該第１の脚部の内側に収容されると共に、前記第１の脚部から引き出された状態で固定可能な第２の脚部と、を有することを特徴とする請求項４に記載のスタッキングテーブル。
【発明の詳細な説明】
【技術分野】
【０００１】
本発明は、天板や筐体に取付けられた脚部を回転する回転機構、回転機構を備えたスタッキングテーブルに関する。
【背景技術】
【０００２】
現在、使用しない場合には重ね合わせて収納することが可能なテーブルが知られている。このようなテーブルは、スタッキングテーブルとも呼ばれており、学校や会社及び食堂において使用されることが多い。また、本明細書では、以降、テーブルを重ね合わせることを、「スタッキング」と記す。
公知のスタッキングテーブルとしては、例えば、特許文献１に記載されているものがある。特許文献１に記載のスタッキングテーブルは、天板を支持する複数の可動脚を備えている。可動脚は、天板の内方と外方との間をスライド可能に構成されていて、テーブルの使用時には内方に、スタッキングされる場合には外方において固定される。特許文献１に記載のスタッキングテーブルによれば、使用時にはスタッキングテーブル同士を密着して配置することができる。また、スタッキングテーブルをスタッキングしても可動脚が下に位置するスタッキングテーブルに当たることがなく、スタッキングテーブルをスタッキングして収納することができる。
【先行技術文献】
【特許文献】
【０００３】
【特許文献１】特許第３６７３７６７号
【発明の概要】
【発明が解決しようとする課題】
【０００４】
しかしながら、特許文献１に記載のスタッキングテーブルは、可動脚を天板裏に安定に取付けるために、天板裏と接する屈曲部に一定以上の幅と長さとが必要になり、屈曲部を天板裏に取付ける接続金具や固定治具にも一定以上の大きさが求められる。したがって、引用文献１に記載のスタッキングテーブルは、スライドさせる構成がスタッキングテーブルの使用時に使用者の膝等に当たって使用者に不快感を与える可能性がある。
本発明は、このような点に鑑みてなされたものであり、小型でありながら、使用時には脚を天板下に、収納時には脚を天板下の範囲よりも外に配置できる回転機構、この回転機構を備えたスタックテーブルを提供することを目的とする。
【課題を解決するための手段】
【０００５】
上記課題を解決するために、本発明の一態様に係る回転機構は、脚部と接続され、一定の回転角の範囲で回転可能な回転部と、回転部における回転軸を中心にして回転部を回転させる操作を行うための回転操作部と、回転部が回転する回転角の範囲を規制する回転規制部と、を備え、前記回転規制部は、前記回転部において、前記回転軸を中心とする円の周上に設けられる規制凸部と、前記脚部が取り付けられる部材に固定される取付部に設けられ、前記回転部が前記回転軸を中心に回転する過程において前記規制凸部と係り合い得る複数の位置に設けられた規制切欠部と、を有し、前記回転部は、前記回転軸を中心とした略円盤状の円盤部と、前記脚部の軸に軸支される支持部とを備えて構成され、前記回転操作部は、前記円盤部と前記支持部との間に設けられ、前記回転部の外部に延出するレバー部と、前記回転部内に設けられる支持軸と、を有し、前記レバー部は、前記回転部の前記支持部における前記脚部の軸近傍に作業者が右手の人差し指を掛け回した際に親指の先端が届く位置に設けられ、当該レバー部を作業者が親指を利用して移動させることにより前記支持軸を中心にして一定の回転角の範囲で回転可能になることを特徴とする。
【０００６】
また、本発明の一態様の回転機構は、上記態様において、取付部は、回転軸を中心とする円の周上に設けられる複数の固定凸部を有し、回転操作部は、回転部が回転軸を中心に回転する過程において固定凸部のいずれかと係り合って固定される固定切欠部を有し、固定凸部及び固定切欠部は、回転部の回転角を固定する固定部を構成することが望ましい。
また、本発明の一態様の回転機構は、上記態様において、回転部が、平面視において回転軸を中心にした円環状の溝部を有し、溝部に載置されて回転部と取付部との摩擦力を低減する摺動部をさらに備えることが望ましい。
【０００７】
本発明の一態様のスタッキングテーブルは、天板と、
天板に取付けられる脚部と、
脚部に接続され、一定の回転角の範囲で回転可能な回転部と、回転部における回転軸を中心にして回転部を回転させる操作を行うための回転操作部と、回転部が回転する回転角の範囲を規制する回転規制部と、を備える回転機構と、を備え、
前記回転規制部は、前記回転部において、前記回転軸を中心とする円の周上に設けられる規制凸部と、前記脚部が取り付けられる部材に固定される取付部に設けられ、前記回転部が前記回転軸を中心に回転する過程において前記規制凸部と係り合い得る複数の位置に設けられた規制切欠部と、を有し、前記レバー部は、前記回転部の前記支持部における前記脚部の軸近傍に作業者が右手の人差し指を掛け回した際に親指の先端が届く位置に設けられ、当該レバー部を作業者が親指を利用して移動させることにより前記支持軸を中心にして一定の回転角の範囲で回転可能になることを特徴とする。
また、本発明のスタッキングテーブルは、脚部が、少なくとも、内部が空洞の第１の脚部と、該第１の脚部の内側に収容されると共に、第１の脚部から引き出された状態で固定可能な第２の脚部と、を有することが望ましい。
【発明の効果】
【０００８】
上記した本発明によれば、回転部を回転させることによって脚部を移動させることができるため、脚部の移動範囲及び脚部を移動させる機構を小さくすることができる。このため、本発明は、小型でありながら、使用時には脚を天板下に、収納時には脚を天板下の範囲よりも外に配置できる回転機構、この回転機構を備えたスタックテーブルを提供することができる。
【図面の簡単な説明】
【０００９】
【図１】本発明の一実施形態の回転機構を備えたスタッキングテーブルを説明するための図である。
【図２】図１に示したスタッキングテーブルを天板の裏面から見た状態を示す図である。
【図３】図１に示したスタッキングテーブルをスタッキングした状態を示す図である。
【図４】図３に示したスタッキングテーブルを天板から見た状態を示した図である。
【図５】本発明の一実施形態の可動脚の長さを調整する機構を説明するための図である。
【図６】本発明の一実施形態の回転機構を説明するための図である。
【図７】図６に示した回転機構の分解斜視図である。
【図８】図７に示した分解斜視図を他の角度から見た状態を説明する図である。
【図９】図６から図８に示した回転機構の動作を説明するための図である。
【図１０】図６から図８に示した回転機構を回転するための操作を説明するための図である。
【発明を実施するための形態】
【００１０】
［スタッキングテーブル］
図１は、本発明の一実施形態の回転機構を備えたスタッキングテーブルを説明するための図である。図１に示したスタッキングテーブル１ａは、天板１１ａ、可動脚１２ａ及び固定脚１３ａを備えている。可動脚１２ａにはキャスター１４が取り付けられており、作業者は、キャスター１４によってスタッキングテーブル１ａを簡易に移動させることができる。
【００１１】
可動脚１２ａは、スタッキングテーブル１ａがテーブルとして使用される場合と、スタッキングテーブル１ａが他のスタッキングテーブルとスタッキングして収納される場合とで、天板１１ａに対する位置が相違する。本実施形態では、スタッキングテーブル１ａが使用されているときの可動脚１２ａの位置を「テーブルポジション」と記す。また、本実施形態では、スタッキングテーブル１ａが他のスタッキングテーブルとスタッキングされているときの可動脚１２ａの位置を「スタッキングポジション」と記す。
【００１２】
可動脚１２ａの移動は、各可動脚１２ａと天板１１ａとの間に設けられた回転機構２ａによって行われる。回転機構２ａについては後に説明する。
本実施形態の天板１１ａは、上面視において長方形の形状を有している。テーブルポジションにおいて、二つの可動脚１２ａは、天板１１ａの下方に位置する。また、スタッキングポジションにおいて、二つの可動脚１２ａは、天板１１ａの短辺の側方に位置する。図１では、テーブルポジションにある可動脚１２ａを破線で示し、スタッキングポジションにある可動脚１２ａを実線で示す。なお、固定脚１３ａは、スタッキングテーブル１ａの状態によらず、一定の位置に固定されている。
【００１３】
図２（ａ）、（ｂ）は、図１に示したスタッキングテーブル１ａを天板１１ａの固定脚１３ａが取り付けられた面から見た図である。本実施形態では、天板１１ａの固定脚１３ａが取り付けられた面を、以降「裏面」と記す。
図２（ａ）は、可動脚１２ａがテーブルポジションにあるときのスタッキングテーブル１ａの裏面１１１を示し、図２（ｂ）は、可動脚１２ａがスタッキングポジションにあるときのスタッキングテーブル１ａの裏面１１１を示している。スタッキングテーブル１ａの裏面１１１には、可動脚１２ａと接続される回転部２１と、可動脚１２ａが回転可能に取り付けられる天板１１ａの裏面１１１に固定される取付部２３と、が設けられている。取付部２３は裏面１１１にネジ等によって固定され、回転部２１は取付部２３に対して回転可能に固定されている。したがって、回転部２１は、裏面１１１に回転可能に固定されていることになる。
【００１４】
また、二つの固定脚１３ａは、取付部２５に固定され、取付部２５は、裏面１１１にネジ等によって固定されている。したがって、固定脚１３ａは、取付部２５を介して天板１１ａの裏面１１１に固定されていることになる。
図２（ａ）に示したように、テーブルポジションにおいて、回転部２１は、裏面１１１の短辺に略沿うような角度で固定される。なお、このとき、２つの可動脚１２ａは、各々対応する固定脚１３ａと線分Ａに関して線対称の位置になる。線分Ａは、天板１１ａの中心を通り、長辺に平行な線分である。また、２つの可動脚１２ａは、各々線分Ｂに関して線対称の位置になり、２つの固定脚１３ａは、各々線分Ｂに関して線対称の位置になる。線分Ｂは、天板１１ａの中心を通り、短辺に平行な線分である。
本実施形態は、可動脚１２ａ及び固定脚１３ａを裏面１１１上に対象に配置することにより、テーブルポジション時、可動脚１２ａ及び固定脚１３ａによって天板１１ａを安定に支えることができる。
【００１５】
また、図２（ｂ）に示したように、スタッキングポジションにおいて、回転部２１は回転し、裏面１１１の短辺から裏面１１１上の外部に張り出す角度で固定される。このような動作により、回転部２１に取付けられた可動脚１２ａは、裏面１１１の短辺側方に移動する。
図３は、スタッキングテーブル１ａを他のスタッキングテーブル１ｂ、１ｃ及び１ｄとスタッキングした状態を示した斜視図である。スタッキングテーブル１ａからスタッキングテーブル１ｄは、いずれも同様の構成を有している。図３に示したスタッキングテーブル１ａ、１ｂ、１ｃ、１ｄの可動脚１２ａ、１２ｂ、１２ｃ、１２ｄは、いずれもスタッキングポジションになっている。
【００１６】
図４は、図３に示した状態のスタッキングテーブル１ａ、１ｂ、１ｃ、１ｄを裏面１１１と反対方向から見た上面図である。図４に示したように、スタッキングポジションのスタッキングテーブル１ａ、１ｂ、１ｃ、１ｄでは、可動脚１２ａ、１２ｂ、１２ｃ、１２ｄ同士の間隔が天板１１ａ、１１ｂ、１１ｃ、１１ｄの長辺の長さ以上に離れる。このため、スタッキングポジションにおいて、可動脚１２ａ、１２ｂ、１２ｃ、１２ｄは、各々天板１１ａ、１１ｂ、１１ｃ、１１ｄの側方に位置することになる。
一方、固定脚１３ａ１３ｂ、１３ｃ、１３ｄ同士の間隔は、天板１１ａ、１１ｂ、１１ｃ、１１ｄの長辺の長さよりも短い。このため、例えば、スタッキングテーブル１ｃをスタッキングテーブル１ｄ上にスタッキングした場合、固定脚１３ｃに天板１１ｄの長辺の一方が当接してスタッキングテーブル１ｃ、１ｄが静止する。
【００１７】
本実施形態は、上記構成により、さらにスタッキングテーブル１ｂ、１ａを順次スタッキングし、可動脚１２ａ、１２ｂ、１２ｃ、１２ｄ同士、及び固定脚１３ａ、１３ｂ、１３ｃ、１３ｄ同士が重ならないようスタッキングテーブル１ａからスタッキングテーブル１ｄをスタッキングすることができる。スタッキングテーブルをスタッキングすることにより、本実施形態は、複数のスタッキングテーブルを並べて配置するよりも、少ないスペースでスタッキングテーブルを収納することができる。
本実施形態は、スタッキングテーブル１ａ、１ｂ、１ｃ、１ｄの可動脚１２ａ、１２ｂ、１２ｃ、１２ｄ及び固定脚１３ａ、１３ｂ、１３ｃ、１３ｄを、長さ調整可能に構成している。
【００１８】
次に、図３、図４に示した状態でスタッキングテーブル１ａ、１ｂ、１ｃ、１ｄをスタッキングする手順を説明する。ここでは、図３、図４に示したように、スタッキングテーブル１ｄ上にスタッキングテーブル１ｃをスタッキングし、スタッキングテーブル１ｃ上にスタッキングテーブル１ｂをスタッキングし、スタッキングテーブル１ｂ上にスタッキングテーブル１ａをスタッキングする例について説明する。
【００１９】
スタッキングの作業を行う作業者は、スタッキングテーブル１ａ、１ｂ、１ｃ、１ｄのスタッキングに先だって、可動脚１２ａ、１２ｂ、１２ｃ、１２ｄ及び固定脚１３ａ、１３ｂ、１３ｃ、１３ｄの長さを調整する。このとき、作業者は、スタッキングテーブル１ｃの可動脚１２ｃ及び固定脚１３ｃの長さをスタッキングテーブル１ｄの天板１１ｄの厚さ及び図１に示した回転機構２ａの厚さに対応して伸ばしておく。また、作業者は、スタッキングテーブル１ｂの可動脚１２ｂ及び固定脚１３ｂの長さを、天板１１ｃと天板１１ｄ及び２つの回転機構２ａ分の厚さを加算した長さに対応して伸ばしておく。さらに、作業者は、スタッキングテーブル１ａの可動脚１２ａ及び固定脚１３ａの長さを、天板１１ｂと天板１１ｃと天板１１ｄ及び３つの回転機構２ａ分の厚さを加算した長さに対応して伸ばしておく。
【００２０】
以上の作業の後、作業者は、スタッキングテーブル１ｂをキャスター１４によって移動させ、天板１１ｂを天板１１ａの下に差し込むようにしてスタッキングテーブル１ａとスタッキングテーブル１ｂとをスタッキングする。このとき、天板１１ｂは、スタッキングテーブル１ａの可動脚１２ａから固定脚１３ａに向かう方向に滑り込むように差し込まれる。このとき、スタッキングテーブル１ｂの天板１１ｂは、スタッキングテーブル１ａの可動脚１２ａをガイドにして長辺方向にずれることがなく、作業者が視認せずとも真っ直ぐに天板１１ａと重ねられる。差し込まれた天板１１ｂは、スタッキングテーブル１ａの固定脚１３ａに当接して停止する。
【００２１】
また、作業者は、同様にして、スタッキングテーブル１ｂの下にスタッキングテーブル１ｃを天板１１ｂ、１１ｃが重なるようにスタッキングし、スタッキングテーブル１ｃの下にスタッキングテーブル１ｄを天板１１ｃ、１１ｄが重なるようにスタッキングする。
上記作業により、本実施形態は、スタッキングテーブル１ａの下にスタッキングテーブル１ｂ、スタッキングテーブル１ｃ、スタッキングテーブル１ｄを順にスタッキングすることができる。このような本実施形態によれば、スタッキングテーブルをスタッキングする際にスタッキングテーブルを持ち上げる必要がなく、少ない力で楽にスタッキングテーブルをスタッキングすることができる。
【００２２】
可動脚及び固定脚の長さを調整する機構としては、例えば、図５に示した構成を適用することができる。
図５は、テーブルの脚の長さを調整する公知の機構を例示した図である。図５に示した脚部５０は、内筒５１と、外筒５２と、ロック部材５３と、を備えている。内筒５１は、脚部５０の長さ方向に配列された複数の段部５１ａを備え、外筒５２の内部に収納されている。ロック部材５３は、ネジ５４によって外筒５２に連結されている。ロック部材５３の係合片５３ａは、内筒５１の段部５１ａと係り合って内筒５１を外筒５２に対して任意の高さに固定する。
【００２３】
図５に示した構成は、内筒５１においてロック部材５３の係合片５３ａと係り合う段部５１ａを変更することによって内筒５１が外筒５２と重なり合う長さを変化させ、脚部５０の長さを変更することができる。なお、図５に示した構成は、特開平９−１３１２２５号公報に開示された公知のものであるから、これ以上の説明を省く。
図５に示した構成を本実施形態に適用する場合、段部５１ａ同士の最小の間隔を、天板１１ａの厚みと回転機構２ａの厚みとを足した長さよりも若干長く設定する。このようにすれば、作業者は、スタッキングされるスタッキングテーブルの数に応じてロック部材５３の位置を決定し、簡易に可動脚１２ａ及び固定脚１３ａの長さを調整することができる。
【００２４】
［回転機構］
図６は、図１に示した回転機構２ａを説明するための図である。なお、回転機構２ａは、全てのスタッキングテーブルにおいて同様であるから、スタッキングテーブル１ａの回転機構についてのみ図示し、他のスタッキングテーブルの回転機構の説明に代えるものとする。
図６に示した回転機構２ａは、回転部２１と、取付部２３とを備えている。さらに、本実施形態の回転機構２ａは、回転軸２１３を中心にして回転部２１を回転させる操作を行うための回転操作部６１と、回転部２１が回転する角度範囲を規制する回転規制部６５と、を備えている。
【００２５】
回転部２１は、回転軸２１３を中心にした略円盤状の円盤部２１ａと、円盤部２１ａと可動脚１２ａの回転軸２１４に軸支される支持部２１ｂと、によって構成される。円盤部２１ａには、回転軸２１３を中心にした同心円状の溝部２１９ａを含む複数の溝部が形成されている。また、取付部２３にも溝部が形成されている。
回転操作部６１は、回転部２１の円盤部２１ａと支持部２１ｂとの間に設けられていて、回転部２１の外部に延出するレバー部６１１と、回転部２１内に設けられる支持軸６１３と、を有している。
回転操作部６１のレバー部６１１は、矢線Ｄの方向に移動可能である。レバー部６１１の移動により、回転部２１は、回転軸２１３を中心にして一定の回転角の範囲で回転可能になる。図２に示したように、回転部２１の外縁には、レバー部６１１が移動するための切欠部２１７が形成されている。
【００２６】
本実施形態の回転規制部６５は、回転部２１において、回転軸２１３を中心とする円の周上に設けられる規制凸部２１５を含んでいる。また、回転規制部６５は、取付部２３において、回転部２１が回転軸２１３を中心に回転する過程で規制凸部２１５と係り合い得る複数の位置に形成される規制切欠部２３５ａ、２３５ｂを含む。
また、本実施形態の回転機構２ａは、固定部６７を備えている。固定部６７は、回転部２１が回転規制部６５によって規制された回転範囲内で回転した角度で回転部２１を固定する。固定部６７は、回転部２１において、回転軸２１３を中心とする円の周上に設けられる複数の固定凸部２３７ａ、２３７ｂと、回転操作部６１に設けられ、回転部２１が回転軸２１３を中心に回転する過程において固定凸部２３７ａ、２３７ｂのいずれかと係り合って固定される固定切欠部６１７を備えている。
【００２７】
図６に示した回転機構２ａは、回転操作部６１が固定凸部２３７ａまたは固定凸部２３７ｂと係り合っている状態においては回転しない。
図７及び図８は、図６に示した回転機構２ａの分解斜視図である。図７は分解された回転機構２ａを俯角から見た図であり、図８は、分解された回転機構２ａを仰角から見た図である。図７、図８に示すように、回転機構２ａは、回転部２１が円環状の溝部２１９ａ、２１９ｂ、２１９ｃを備えている。回転機構２ａは、溝部２１９ｂに載置されて、回転部２１と取付部２３との摩擦力を低減する摺動部７１を備えている。
【００２８】
本実施形態の摺動部７１は、球状のボール部材が複数つなぎ合わされたリング形状を有している。球状部材は、金属またはシリコンで形成されている。摺動部７１の球状部材の材質は、主に、摺動部７１の大きさによって決定する。
取付部２３は、溝部２１９ａ、２１９ｂ、２１９ｃに対応する溝部２３９ａ、２３９ｂ、２３９ｃを備えている。溝部２３９ｃには、円盤２３２が置かれている。また、回転部２１の取付部２３に向かう面には円盤２１２が設けられ、円盤２１２が置かれた面の裏面には円盤２２０が設けられる。円盤２３２、円盤２１２、円盤２２０は、ネジ２１６によって回転部２１及び取付部２３と共に中心軸が等しくなるように固定されている。
【００２９】
スタッキングテーブル１ａがテーブルポジションにあるとき、規制凸部２１５は、規制切欠部２３５ｂと係り合っている。そして、作業者がレバー部６１１を押下げると共に回転部２１を回転軸２１３を中心にして回転させることにより、回転部２１がわずかに撓み、規制凸部２１５が規制切欠部２３５ｂから外れる。回転部２１の回転によって規制凸部２１５は規制切欠部２３５ａの直下に移動し、規制切欠部２３５ａと係り合う。
以上の動作により、回転部２１の回転角は、規制凸部２１５が規制切欠部２３５ａから規制切欠部２３５ｂまで移動する範囲に規制される。なお、このような動作を可能にするため、回転部２１は、適度な撓みを生じる樹脂等によって形成される。
【００３０】
また、回転操作部６１にはバネ７２が巻き回されている。レバー部６１１が切欠部２１７に沿って矢線Ｄの方向に移動すると、回転操作部６１に巻き回されたバネ７２は、回転操作部６１にさらに強く巻き回されて弾性力が発生する。
スタッキングテーブル１ａがテーブルポジションにあるとき、固定切欠部６１７は、固定凸部２３７ｂと係り合って固定されている。このとき、バネ７２は、固定切欠部６１７と固定凸部２３７ｂとの係り合いが維持できる程度の弾性力を持っている。
【００３１】
次に、作業者がレバー部６１１を押下げながら矢線Ｄの方向に移動させると、固定切欠部６１７が固定凸部２３７ｂから離れて両者の係り合いが解消される。レバー部６１１は、バネ７２によって常に矢線Ｄと反対の方向に力を受けている。このため、作業者がこのままレバー部６１１を離せば再び固定切欠部６１７は固定凸部２３７ｂと係り合う。
このような本実施形態によれば、スタッキングテーブル１ａがテーブルポジションにあるとき、作業者がレバー部６１１を操作しない限り固定切欠部６１７が固定凸部２３７ｂから離れることがない。したがって、本実施形態は、スタッキングテーブル１ａを安定してテーブルポジションの状態に保つことができる。
【００３２】
作業者がバネ７２の弾性力に逆らってレバー部６１１を移動させると、回転操作部６１が固定凸部２３７ｂとの係り合いから解放される。続いて作業者が可動脚１２ａをスタッキングポジションにすると、固定切欠部６１７は固定凸部２３７ａに向かって回転し、固定凸部２３７ａと係り合う。このような動作により、回転部２１は、回転操作部６１が固定凸部２３７ｂと係り合う位置及び回転操作部６１が固定凸部２３７aと係り合う位置において固定される。
【００３３】
図９（ａ）、（ｂ）は、回転部２１の動作を説明するための図であって、図９（ａ）はスタッキングテーブル１ａがテーブルポジションにあるときの回転部２１の上面図である。図９（ｂ）はスタッキングテーブル１ａがスタッキングポジションにあるときの回転部２１の上面図である。図９（ａ）、（ｂ）については、取付部２３側の部材である規制切欠部２３５ａ、２３５ｂ及び固定凸部２３７ａ、２３７ｂを破線で示している。なお、図９（ａ）、（ｂ）は、図７、図８に示した摺動部７１を示していない。
【００３４】
スタッキングテーブル１ａがテーブルポジションからスタッキングポジションに移行する場合、作業者は、レバー部６１１を操作して矢線Ｄの方向に移動する。レバー部６１１の操作はレバー部６１１を押下げながら行われる。このとき、回転操作部６１の固定切欠部６１７が固定凸部２３７ｂから離れて回転可能になる。続いて、作業者は、回転部２１を図６に示した回転軸２１３を中心に回転させる。このとき、作業者は、レバー部６１１を矢線Ｄの方向に移動させたまま、可動脚１２ａを天板１１ａ下から引き出すように操作する。そうすると、回転部２１は、回転軸２１３を中心に回転し、可動脚１２ａは回転部２１の支持軸と共に回転する。
【００３５】
さらに、作業者が回転軸２１３を中心として回転する方向に回転部２１を回転させると、規制凸部２１５は、規制切欠部２３５ｂから離れて規制切欠部２３５ａに対応する位置に向かって回転する。そして、規制凸部２１５は、規制切欠部２３５ａの直下に移動すると、規制切欠部２３５ａと係り合う。このような動作により、回転部２１をこれ以上回転させることができなくなり、可動脚１２ａがスタッキングポジションで静止する。このような状態で作業者はレバー部６１１を離す。レバー部６１１は、バネ７２の弾性力により、矢線Ｄで示す方向と反対方向に移動する。
【００３６】
また、規制凸部２１５と規制切欠部２３５ａとが係り合う位置において、回転操作部６１の固定切欠部６１７は、固定凸部２３７ａに対応する位置まで移動し、固定凸部２３７ａと係り合い、回転部２１は固定切欠部６１７が固定凸部２３７ａと係り合う位置で固定される。
以上の動作により、スタッキングテーブル１ａは、可動脚１２ａが天板１１ａ下から外部に飛び出したスタッキングポジションの状態を得ることができる。また、同様にして、作業者は、スタッキングテーブル１ａをスタッキングポジションからテーブルポジションにすることができる。
【００３７】
図１０（ａ）、（ｂ）は、作業者がレバー部６１１を操作する様子を示した図である。図１０（ａ）は作業者がレバー部６１１を図９（ａ）に示した矢線Ｄの方向に移動する以前の状態を示し、図１０（ｂ）はレバー部６１１の移動が完了した状態を示している。図１０（ａ）、（ｂ）から明らかなように、作業者は、片手でレバー部６１１を操作すると共に、可動脚１２ａを回転させることができる。また、レバー部６１１は回転部２１の外部に出ているため、作業者は、スタッキングテーブル１ａの下をのぞき込むことをせずに手探りでレバー部６１１を操作することができる。
【００３８】
一方、特許文献１として示した公報に記載されているスタッキングテーブルにおいて、作業者は、一方の手で可動脚を天板から引き出すと共に、他方の手でスタッキングテーブルを押えてスタッキングテーブルが可動脚について移動することを防ぐ必要がある。したがって、本実施形態のスタッキングテーブルは、特許文献１に記載の公知のスタッキングテーブルよりも簡単にスタッキングテーブルをスタッキングすることができる。
【００３９】
また、本実施形態によれば、回転部を回転させて可動脚をスタッキングポジションにすることができるため、特許文献１に記載の、可動脚をスライドさせるスタッキングテーブルよりも可動脚の移動範囲及び可動のための構成を小さくすることができる。このため、本実施形態のスタッキングテーブルは、天板下で可動脚をスタッキングポジションにするための構成が利用者の膝等と接触し、利用者に不快感を与える可能性を低減することができる。
【００４０】
［対応関係］
特許請求の範囲に記載の脚部は、実施形態の可動脚１２ａから１２ｄに対応する。特許請求の範囲に記載の回転部は、実施形態の回転部２１に対応する。特許請求の範囲に記載の回転操作部は、実施形態の回転操作部６１に相当する。特許請求の範囲に記載の回転規制部は、実施形態の回転規制部６５に対応する。特許請求の範囲に記載のレバー部は、実施形態のレバー部６１１に相当する。特許請求の範囲に記載の支持軸は、実施形態の支持軸６１３に相当する。
【００４１】
特許請求の範囲に記載の規制凸部は、実施形態に記載の規制凸部２１５に相当する。特許請求の範囲に記載の規制切欠部は、実施形態に記載の規制切欠部２３５ａ、２３５ｂに対応する。特許請求の範囲に記載の取付部は、実施形態に記載の取付部２３に対応する。特許請求の範囲に記載の固定凸部は、実施形態に記載の固定凸部２３７ａ、２３７ｂに対応する。特許請求の範囲に記載の固定切欠部は、実施形態に記載の固定切欠部６１７に対応する。特許請求の範囲に記載の固定部は、実施形態に記載の固定部６７に対応する。特許請求の範囲に記載の溝部は、実施形態の溝部２１９ｂに対応する。特許請求の範囲に記載の摺動部は、実施形態に記載の摺動部７１に相当する。
特許請求の範囲記載のスタッキングテーブルは、実施形態に記載のスタッキングテーブル１ａから１ｄに対応する。特許請求の範囲の天板は、実施形態に記載の天板１１ａから１１ｄに対応する。特許請求の範囲に記載の第１の脚部は、実施形態に記載の外筒５２に対応する。特許請求の範囲に記載の第２の脚部は、実施形態に記載の内筒５１に対応する。
【００４２】
［その他］
本発明は、以上に記載した各実施形態や変形例に限定されるものではない。当業者の知識に基づいて各実施形態や変形例に設計の変更等を加えてもよく、そのような変更が加えられた態様も本発明の範囲に含まれる。
【符号の説明】
【００４３】
１ａ、１ｂ、１ｃ、１ｄ  スタッキングテーブル
１１ａ、１１ｂ、１１ｃ、１１ｄ  天板
１２ａ、１２ｂ、１２ｃ、１２ｄ  可動脚
１３ａ、１３ｂ、１３ｃ、１３ｄ  固定脚
２１  回転部
２１ａ  円盤部
２１ｂ  支持部
２３、２５  取付部
５１  内筒
５２  外筒
５３  ロック部材
６１  回転操作部
６５  回転規制部
６７  固定部
７１  摺動部
７２  バネ
１１１  裏面
２１２、２２０、２３２  円盤
２１３、２１４  回転軸
２１５  規制凸部
２１７  切欠部
２１９ａ、２１９ｂ、２１９ｃ、２３９ａ、２３９ｂ、２３９ｃ  溝部
２３５ａ、２３５ｂ  規制切欠部
２３７ａ、２３７ｂ  固定凸部
６１１  レバー部
６１３  支持軸
６１７  固定切欠部
【図１】
0006424032.tif 000002
【図２】
0006424032.tif 000003
【図３】
0006424032.tif 000004
【図４】
0006424032.tif 000005
【図５】
0006424032.tif 000006
【図６】
0006424032.tif 000007
【図７】
0006424032.tif 000008
【図８】
0006424032.tif 000009
【図９】
0006424032.tif 000010
【図１０】
0006424032.tif 000011